(57)【要約】【課題】電力会社が設定している料金メニュー通りに使用電力を測定することができ、実際の電力料金との誤差をなくすことができる電子式電力量計を提供する。【解決手段】電子式電力量計は電気設備の使用電力を測定し、データを電力会社の料金メニューの夜間時間に設定した「記録１」，昼間時間に設定した「記録２」，重負荷時間に設定した「記録３」に振り分けて記憶する。また、日付と曜日によって任意に指定した日の使用電力量を夜間時間である「記録１」に記録するようにする。【選択図】図２
2005326158.tif 000002
【特許請求の範囲】
【請求項１】
電気設備の使用電力を測定し、一日の使用電力量を任意に設定可能な複数の時間帯に区分して月毎に積算して記憶手段に記憶し、表示手段により使用電力量を表示可能にした電子式電力量計において、任意に設定可能な指定日の使用電力量については、前記複数の時間帯の区分を除外し、前記複数の時間帯区分のうちの特定の区分に積算することを特徴とする電子式電力量計。
【請求項２】
前記指定日を曜日で設定するようにしたことを特徴とする請求項１に記載の電子式電力量計。
【発明の詳細な説明】
【技術分野】
【０００１】
本発明は、電気設備の使用電力を測定して表示手段に表示する電子式電力量計に関する。
【背景技術】
【０００２】
電子式電力量計は電気設備の使用電力を測定手段により測定し、この使用電力のデータは記憶手段に記憶され、操作ボタン等の操作手段を操作して表示項目を選択し、液晶部１１等の表示手段により表示できるようになっている（例えば、特許文献１参照）。この電子式電力量計において、本出願人は使用電力を任意に設定した複数の時間帯に区分して月毎に積算して記憶手段に記憶するものを特願２００２−３３９９３８号で提案している。この電子式電力量計は、図３に示すように１日を「記録１」「記録２」「記録３」の３つの時間帯に区分し、各時間帯は更に「時間帯１」「時間帯２」の２つの時間帯に区分している。そして、例えば「記録１」の「時間帯１」を２２時から２４時、「時間帯２」を０時から８時と図４の液晶部１１の表示例に示すように設定し、「記録２」の「時間帯１」を８時から１０時、「時間帯２」を１７時から２２時と設定し、「記録３」の「時間帯１」を１０時から１７時、「時間帯２」は未設定に設定することで、電力会社の料金メニューの時間帯区分に合わせて夜間時間と昼間時間と重負荷時間に使用電力量を振り分けて積算し、表示させることができる。
【特許文献１】特開２００３−１５６５１９号公報
【発明の開示】
【発明が解決しようとする課題】
【０００３】
しかしながら、従来の電子式電力量計は休日と平日の区別がされないので休日の使用電力量も平日と同じように各時間帯に振り分けられてしまい、実際の電力料金との誤差が大きくなっていた。
【課題を解決するための手段】
【０００４】
本発明は、請求項１に記載の発明によれば、電気設備の使用電力を測定し、一日の使用電力量を任意に設定可能な複数の時間帯に区分して月毎に積算して記憶手段に記憶し、表示手段により使用電力量を表示可能にした電子式電力量計において、任意に設定可能な指定日の使用電力量については、複数の時間帯の区分を除外し、複数の時間帯区分のうちの特定の区分に積算することを特徴とする。
【０００５】
請求項２に記載の発明によれば、請求項１に記載の電子式電力量計において、指定日を曜日で設定するようにしたことを特徴とする。
【発明の効果】
【０００６】
本発明の電子式電力量計は、請求項１に記載の発明によれば、電気設備の使用電力を測定し、一日の使用電力量を任意に設定可能な複数の時間帯に区分して月毎に積算して記憶手段に記憶し、表示手段により使用電力量を表示可能にした電子式電力量計において、任意に設定可能な指定日の使用電力量については、複数の時間帯の区分を除外し、複数の時間帯区分のうちの特定の区分に積算することにより、電力会社が設定している料金メニュー通りに使用電力を測定することができ、実際の電力料金との誤差をなくすことができるという効果がある。
【０００７】
請求項２に記載の発明によれば、請求項１に記載の電子式電力量計において、指定日を曜日で設定するようにしたことにより、設定が簡単にできるという効果がある。
【発明を実施するための最良の形態】
【０００８】
電子式電力量計は使用電力のデータを任意に設定した複数の時間帯に区分して月毎に積算して記憶手段に記憶し、任意に指定した日の使用電力量は、この複数の時間帯区分のうちの特定の区分に積算するようになっている。
【実施例１】
【０００９】
本発明に係る電子式電力量計の実施例を図１及び図２の添付図面に基づいて説明する。
【００１０】
電子式電力量計は電気設備の使用電力を測定する測定手段と、時刻及び日時を計時する計時手段と、各種データを記憶する記憶手段と、各種演算を行う演算手段と、データの表示を行う表示手段としての液晶部１と、液晶部１の表示の切り替えや設定等をするための操作手段としての操作ボタンとを備えている。
【００１１】
この電子式電力量計は従来例と同様に１日２４時間を複数の時間帯に区分して使用電力を測定できるようになっており、例を挙げて詳細に説明すると、１日を「記録１」「記録２」「記録３」の３つの時間帯に区分し、各時間帯は更に「時間帯１」「時間帯２」の２つの時間帯に区分している。そして、時間の設定を電力会社の料金メニューの時間帯区分に合わせるために「記録１」の「時間帯１」を２２時から２４時、「時間帯２」を０時から８時と設定し、「記録２」の「時間帯１」を８時から１０時、「時間帯２」を１７時から２２時と設定し、「記録３」の「時間帯１」を１０時から１７時、「時間帯２」は未設定に設定することで、「記録１」は夜間時間、「記録２」は昼間時間、「記録３」は重負荷時間の使用電力量が演算手段により積算されて記録される。これらの設定は操作ボタンを操作して行う。
【００１２】
また、電子式電力量計は休日の設定をすることができ、「記録１」「記録２」「記録３」のうちの何れかの区分に任意に指定した日の使用電力量を積算するようになっている。この指定日の設定は曜日と日付で設定することができ、例えば１月の休日を毎週日曜日と１日，２日，１２日，２７日に設定した場合、図１の液晶部１の表示例に示すように、画面下段左に「１月」を表示し、画面上段中央に日曜日を表す「ＳＵ」を表示し、画面上段右、画面中段中央、画面中段右、画面下段中央、画面下段右の破線で囲んだ部分に設定した日を表示している。尚、画面中段右は未設定のためスペースが空いている。ここで設定した休日の使用電力データは画面上段左に表示されているように「記録１」に記録されるようになっている。尚、曜日設定で土曜日を設定した場合は画面上段中央に「ＳＡ」と表示され、土曜日と日曜日の両方を設定した場合は「ＡＵ」と表示されるようになっている。
【００１３】
これにより、休日の使用電力量は夜間時間である「記録１」に記録されるため、休日の使用電力を電力会社の料金メニューに一致させることができ、実際の電力料金との誤差がなくなる。
【図面の簡単な説明】
【００１４】
【図１】本発明に係る電子式電力量計の表示例である。
【図２】電子式電力量計の設定例を示し、（ａ）は表、（ｂ）は（ａ）をグラフにしたものである。
【図３】電子式電力量計の設定例を示し、（ａ）は表、（ｂ）は（ａ）をグラフにしたものである。
【図４】従来の電子式電力量計の表示例である。
【符号の説明】
【００１５】
１    液晶部
【図１】
2005326158.tif 000003
【図２】
2005326158.tif 000004
【図３】
2005326158.tif 000005
【図４】
2005326158.tif 000006